(57)【要約】【課題】ポンプパワーを有効利用するポンプ光時分割分配を実現する光ノードの構成を提供する。【解決手段】低雑音特性のためにラマン増幅を必要とする波長分割多重された光信号の受信方路を複数有する光ノードにおいて、複数波長のラマン励起光を出力するラマン増幅用励起光源部と,前記複数波長のラマン励起光を波長毎に時分割して出力する制御部と，前記波長毎に時分割して出力される複数波長のラマン励起光を前記複数の受信方路に,信号光伝搬方向と逆方向に時分割分配投入するラマン増幅器とを有し，前記各受信方路において，前記ラマン励起光が波長毎に時分割される周期を前記ラマン増幅器の前記信号光のラマン励起光に対する応答時間より速くなるように設定されている。【選択図】  図６
2006084882.tif 000002
【特許請求の範囲】
【請求項１】
低雑音特性のためにラマン増幅を必要とする波長分割多重された光信号の受信方路を複数有する光ノードにおいて、
複数波長のラマン励起光を出力するラマン増幅用励起光源部と,
前記複数波長のラマン励起光を波長毎に時分割して出力する制御部と，
前記波長毎に時分割して出力される複数波長のラマン励起光を前記複数の受信方路に,信号光伝搬方向と逆方向に時分割分配投入するラマン増幅器とを有し，
前記各受信方路において、前記ラマン励起光が波長毎に時分割される周期を前記ラマン増幅器の前記信号光のラマン励起光に対する応答時間より速くなるように設定されている
ことを特徴とする光ノード。
【請求項２】
請求項１において、
前記ラマン増幅用励起光源部は,所要波長数に対応する複数のラマン励起光発光源を有し，
前記制御部は,前記複数のラマン励起光発光源のそれぞれに対応する, 前記ラマン励起光発光源の出力を前記複数の受信方路へ切り替え供給する複数のスイッチと，前記複数のスイッチを制御するスイッチ制御部と，前記複数のラマン励起光発光源のそれぞれの発光を制御するＬＤ制御部とを有することを特徴とする光ノード。
【請求項３】
請求項２において,
前記スイッチ制御部は, 前記複数の受信方路へ切り替え供給する際に，前記複数のスイッチにより切り替えられるラマン励起光のデューティ比を制御して前記受信方路へ供給されるラマン励起光の時間平均パワーを制御することを特徴とする光ノード。
【請求項４】
請求項２において,
前記ＬＤ制御部は, 前記複数のラマン励起光発光源の発光パワーを制御して前記受信方路へ供給されるラマン励起光のパワーを制御することを特徴とする光ノード。
【請求項５】
請求項２において,
前記複数のスイッチのそれぞれの空きポートに増設される受信方路を接続し,前記スイッチ制御部により前記複数のスイッチにより前記複数の受信方路へ切り替え供給する周期を更新することにより,運用中における方路増設を可能とすることを特徴とする光ノード。
【発明の詳細な説明】
【技術分野】
【０００１】
本発明は，低雑音特性のためにラマン増幅を必要とする波長分割多重された光信号の受信方路を複数有する光ノードに関し，特に受信方路の増減設に対しても容易にラマンパワー配分を制御できる光ノードに関する。
【背景技術】
【０００２】
近年、光波長多重(ＷＤＭ)伝送技術によるフォトニックネットワーク構築が実用化されている。これまでの２点間伝送に加え、図１に示すフォトニックネットワークのように，３点以上を結び、複数方路へ分配・多重する光ノード（以下，光クロスコネクト装置，光挿入分岐装置等を含む概念として単にノードと呼ぶ）が配置されるなど、光伝送の面的展開（メッシュネットワークへの展開）によるネットワーク内装置配置の効率化が進められている。
【０００３】
ここで，幹線系ネットワークにおいては、複数のパスが一箇所に集中し、それを光のままで方路分配することにより、ネットワークの柔軟性を向上させ、ネットワークコストを下げる効果があることが知られている。例えば,図１において,第２のノード２では,ノード０，ノード１からの光信号を受信し，ノード３，ノード４の方路に分配している。
【０００４】
このような複数の受信方路を多重し、かつ１つあるいは複数の送信方路へ分配する複数方路分配ノードが適用される場合、これらの光ノードを通過する波長パスの伝送距離１０1，１０2，１０3，１０4が長尺であるとき，該当の波長パスが低雑音であることが要求される。
【０００５】
かかる要求に対し，従来例として，長距離伝送する方路のノード受信側毎に，光伝送路に励起光を入力し、ラマン増幅させるファイバラマン増幅装置を配置することが行われる。
【０００６】
図２は,かかるファイバラマン増幅装置の原理を説明する図である。光ファイバラマン増幅(ラマン増幅)とは、光ファイバに強い励起光を入射すると、ラマン散乱に基づく誘導放出が起こり、励起光波長より１００ｎｍ程度長い波長域に、増幅が得られる現象である。
【０００７】
したがって,３つの波長多重が行われる場合，３つの波長に対応する励起光ｆp1，ｆp2，ｆp3を受信伝送路方向にラマン光源ＬＤから送出する。したがって,それぞれ対応する励起光波長より１００ｎｍ程度長い波長域ｆr1，ｆr2，ｆr3に増幅作用が行われ，信号光帯域で波長増幅平坦性が得られる。
【０００８】
図１において,光伝送路スパン１０1及びスパン１０2でラマン増幅を行うために，ノード２からラマン光源ＬＤからの励起光が,２つの受信方路側に送られる。同様に，光伝送路スパン１０2,１０3でラマン増幅を行うために，ノード３,４それぞれのラマン光源ＬＤからの励起光が, 受信方路側に送られる。
【０００９】
ここで,このようなファイバラマン増幅装置は，消費電力・サイズ・コストともに大きく，各受信方路へ配置することは、複数方路を持つノードのコスト、消費電力、サイズが大きくなり、導入障壁ともなる問題である。
【００１０】
図３は，それぞれの受信方路側にラマン光増幅部が配置された場合の複数方路分配光ノードの一構成例を示す図である。
【００１１】
伝送路ファイバ１０の各々に対応して分布ラマン増幅のためのポンプ光源３が備えられ，信号光１とポンプ光源３からのポンプ光が，波長分割多重(ＷＤＭ)カプラ２により合波される。波長分割多重(ＷＤＭ)カプラ２の出力は，ＥＤＦＡ（Ｅｒ添加ファイバアンプ）４を通り，光コネクトあるいは光挿入分岐機能を有する光多重・分配部５に入力する。
【００１２】
図３において，出力端に増幅された信号光１が伝送される。一方、ポンプ光はラマン増幅用ポンプ光源３よりＷＤＭカプラ２を通して伝送路ファイバ１０へ供給される。これにより、信号光１は、伝送路ファイバ１０においてラマン増幅され，更にＥＤＦＡ４で増幅され、光多重・分配部５おいて波長毎に分割されて対応する方路へ分配される。その後、更に出力方路側に置かれるＥＤＦＡ４１で増幅され、それぞれの伝送路ファイバ１０へ供給される。
【００１３】
このように受信方路毎に高価なラマン増幅用ポンプ４を配置することにより，光ノードのコストを高くし、その適用を阻害する要因となる。
【００１４】
さらに図４に第２の従来例として分布ラマン増幅（ＤＲＡ）用ポンプ光源を一つに集中させた光ノード構成を示す(特許文献１)。図４において，複数の伝送路ファイバ１０に対し，共通のラマンポンプ共通供給部３０を光多重・分配部５に有している。
【００１５】
ラマンポンプ共通供給部３０は，複数の波長毎のラマン増幅用ポンプ光源３と，ポンプ光源３1，３2，３3の出力を合成するカプラ６を有し，複数の波長毎のラマン増幅用ポンプ光源３1，３2，３3の出力がＬＤ制御部７により制御される。
【００１６】
すなわち，ポンプ光がラマン増幅用ポンプ光源３よりポンプカプラ６及びＷＤＭカプラ２1〜２4を通して送信側伝送路ファイバ１０1〜１０4へ供給され、ラマン増幅される。ラマン増幅された信号光１は，ＥＤＦＡ４1〜４4において更に増幅され、光多重・分配部５において波長毎に分割され，所定の方路へ分配され出力される。さらに，出力方路側で，ＥＤＦＡ４5〜４8により増幅されて，伝送路ファイバ１０5〜１０8へ供給される。
【００１７】
かかる図４に示す構成では，光多重・分配部５に複数方路へラマンポンプ光を供給する集中ラマンポンプ部３０があるが、トータルポンプパワーとしては低減化するものではなく、さらにポンプカプラ６の分岐比により各方路へのパワーが固定されるため、方路増減設時のパワー配分の柔軟性を確保できないという問題を有する。
【００１８】
一方，信号光と逆方向に伝搬させる励起光を伝送路へ投入する分布ラマン増幅では、励起光の信号光利得に作用する応答速度が数百μｓと遅くなることが知られている。これを利用して異なる複数の励起波長光をラマン応答速度より十分速い周波数で時分割多重して合波する手法が提案されている(特許文献２，３および，非特許文献１,２)。
【００１９】
そして，この方法を用いることにより、条件によって約１ｄＢの雑音特性を改善することができる。
【００２０】
図５にかかるラマン用励起光を時分割多重して合波する手法の原理説明図を示す。図５において，それぞれ波長λ1，λ2，λ3のラマン励起光を出力するラマン光源３1，３2，３3を常時発光出力し，それらの出力光が， LiNbO3，LiTaO3等の強誘電体結晶による対応する光変調器８1，８2，８3に入力される。
【００２１】
光変調器８1，８2，８3は，パルス発生器８0からの相互に位相がずれた時分割制御パルスによりパルス変調される。光変調器８1，８2，８3の出力は，光カプラ６により結合され，更にカプラ２を経て光伝送路１０に光信号の進行方向と逆方向に送り込まれる。
【００２２】
したがって，光伝送路１０上には，図５の左下囲みに示されるように，０．１ｍsec以下の周期即ち，１０ＫＨｚ以上の速度で波長λ1，λ2，λ3のラマン励起光が時分割多重されて送出される。これにより，カプラ２の出力は，波長λ1，λ2，λ3が波長多重され,ラマン増幅された光信号が表れる。これを更にＥＤＦＡ４で増幅が行われる。
【特許文献１】特開2002-6349号公報
【特許文献２】米国特許US6,611,368語公報
【非特許文献１】Winzer et al, 4.1.4, ECOC2002
【非特許文献２】"TUNING SPEED REQUIREMENTSFOR TIME-DIVISION Multiplexed Raman pump lasers" ECOC2002
【発明の開示】
【発明が解決しようとする課題】
【００２３】
かかる図５に示す手法は，通常、無変調の励起光間にラマン効果によって生ずる短波長側信号光の利得効率劣化及び雑音特性劣化を防ぐのに有効な手法であることが報告されている(非特許文献２)。非特許文献２に記載の論文で示されるシステムにおいて要求される変調周波数は、通常１０ＫＨｚ以上である。しかしながら、ラマン励起光を発光していない消光時間（図５のパルス発生器８0で発生されるパルス周期の太線部）が長く、効率的にポンプパワーが利用されていない。
【００２４】
これに対して,上記の消光時のポンプ光を他の方路へ時分割分配することによりポンプパワーを有効利用することが考えられる。したがって，本発明の目的は，かかるポンプパワーを有効利用する光信号時分割伝送システムにおける光ノードの構成を提供することにある。
【課題を解決するための手段】
【００２５】
上記本発明の課題を達成する光ノードの構成は，第１の態様として低雑音特性のためにラマン増幅を必要とする波長分割多重された光信号の受信方路を複数有する光ノードにおいて、複数波長のラマン励起光を出力するラマン増幅用励起光源部と,前記複数波長のラマン励起光を波長毎に時分割して出力する制御部と，前記波長毎に時分割して出力される複数波長のラマン励起光を前記複数の受信方路に,信号光伝搬方向と逆方向に時分割分配投入するラマン増幅器とを有し，前記各受信方路において，前記ラマン励起光が波長毎に時分割される周期を前記ラマン増幅器の前記信号光のラマン励起光に対する応答時間より速くなるように設定されていることを特徴とする。
【００２６】
さらに, 上記本発明の課題を達成するノードの構成は，第２の態様として，第１の態様において,前記ラマン増幅用励起光源部は,所要波長数に対応する複数のラマン励起光発光源を有し，前記制御部は,前記複数のラマン励起光発光源のそれぞれに対応する, 前記ラマン励起光発光源の出力を前記複数の受信方路へ切り替え供給する複数のスイッチと，前記複数のスイッチを制御するスイッチ制御部と，前記複数のラマン励起光発光源のそれぞれの発光を制御するＬＤ制御部とを有することを特徴とする。
【００２７】
上記本発明の課題を達成するノードの構成は，第３の態様として，第２の態様において,前記スイッチ制御部は, 前記複数の受信方路へ切り替え供給する際に，前記複数のスイッチにより切り替えられるラマン励起光のデューティ比を制御して前記受信方路へ供給されるラマン励起光の時間平均パワーを制御することを特徴とする。
【００２８】
上記本発明の課題を達成するノードの構成は，第４の態様として，第２の態様において,前記ＬＤ制御部は, 前記複数のラマン励起光発光源の発光パワーを制御して前記受信方路へ供給されるラマン励起光のパワーを制御することを特徴とする。
【００２９】
上記本発明の課題を達成するノードの構成は，第５の態様として，第２の態様において,前記複数のスイッチのそれぞれの空きポートに増設される受信方路を接続し,前記スイッチ制御部により前記複数のスイッチにより前記複数の受信方路へ切り替え供給する周期を更新することにより,運用中における方路増設を可能とすることを特徴とする。
【００３０】
さらに, 上記本発明の課題を達成するノードの構成は，第６の態様として，第２の態様において,前記複数の受信方路の所要励起光の実効パワーを算出する演算処理手段を有し，前記求演算処理手段は，更に前記複数の受信方路の算出された実効パワーに基づき，前記スイッチ制御部に前記複数の受信方路に対するラマン励起光のデューティ比の再配分及び，前記ＬＤ制御部に前記複数のラマン励起光発光源の発光パワーの再配分を設定することを特徴とする。
【００３１】
さらに, 上記本発明の課題を達成するノードの構成は，第７の態様として，第６の態様において,前記実効パワーの算出は，前段ノードに置ける信号光対雑音比（ＯＳＮＲ）と受信入力レベルを測定して所要ポンプパワーとして算出することを特徴とする。
【発明の効果】
【００３２】
上記の本発明に基づく構成により光ノードにおけるファイバラマン増幅装置を時分割多重励起光とすること、さらに一括集中させ、複数方路へ時分割分配させることにより、光ノードの低雑音化、効率向上、消費電力・サイズ・コストの低減が実現出来る。そして,本発明によりラマン増幅を受信方路に配備した、低コスト、さらに柔軟性の高い複数方路分配ノードを実現し得る。
【発明を実施するための最良の形態】
【００３３】
以下図面に従い，本発明に実施の形態例を説明する。なお,実施の形態例は本発明の理解のためのものであり，本発明の技術的範囲がこれに限定されるものではない。
【００３４】
図６は,本発明に従う光ノードの第１の実施の形態例を示す図である。
【００３５】
図６において,実施例として三つの受信方路１ａ,１ｂ,１ｃからそれぞれ三波長λ1,λ2及びλ3が波長多重された信号光１1,１2,１3が入力し，光多重・分配部５から,波長毎に分割されて出力方路４ａ，４ｂ,４ｃに送出される。
【００３６】
光多重・分配部５は,ラマンポンプ共通供給部３０を有している。ラマンポンプ共通供給部３０は,それぞれ波長λ1,λ2,λ3のラマン光源（ＬＤ）３1，３2，３3を有する。ラマン光源３1，３2，３3は,ＬＤ制御部９によりそれぞれの出力パワーが制御される。
【００３７】
一方，ラマン光源３1，３2，３3からの発光は,それぞれ光スイッチ（ＳＷ）７1，７2，７3により出力タイミングが制御される。この出力タイミングは,スイッチ制御部８により出力される方路分配制御クロック１１に従って与えられる。
【００３８】
すなわち, 方路分配クロック１１に従い，図６の例では, 波長λ1のポンプ光源３1では、スイッチ７1により受信方路１ａ,１ｂ,１ｃの順に供給方路が切り替えられ、波長λ2のポンプ光源３2では受信方路１ｂ,１ｃ,１ａの順に供給方路が切り替えられ、更に波長λ3のポンプ光源３3では受信方路１ｃ,１ａ,１ｂの順に供給方路が切り替えられる。これにより,それぞれ異なる波長のラマン励起光が同時に同一方路で光らないように、ポンプ波長間の発光の同時性を避けて時分割分配している。
【００３９】
ラマンポンプ共通供給部３０から供給されるポンプ光は，合波器６1，６2，６3を通して，ＷＤＭカプラ２1，２2，２3で, 受信側伝送路ファイバ１０1，１０2，１０3に送出される。
【００４０】
したがって,信号光１ａ,１ｂ,１ｃは,伝送路ファイバ１０1，１０2，１０3においてラマン増幅され、対応する，ＥＤＦＡ４1，４2，４3へ伝送される。信号光１ａ,１ｂ,１ｃは更にそれぞれＥＤＦＡ４1，４2，４3で増幅され、光多重・分配部５に入力する。
【００４１】
次いで,光多重・分配部５において波長毎に分割,分配され, 対応するＥＤＦＡ４4,４5，４6で増幅される。そして, ＥＤＦＡ４4,４5，４6の各出力は,対応する方路（図４では方路４ａ,４ｂ,４ｃ）へ供給される。
【００４２】
ここで,図４に示されるように，光スイッチ制御部８で方路分配と、さらにそれぞれの方路へのデューティ比を調整することにより、パワーレベル調整が可能である。
【００４３】
しかしながら、パワーレベル可変範囲の自由度の点では、ＬＤ制御部９においてＬＤパワーを直接調整することがより効果的である。従って、実運用では、光スイッチ制御部８とＬＤ制御部９を連動させて、柔軟性の高いパワー及び方路分配制御を実現することが可能である。
【００４４】
かかる機能を実現するキーとなるデバイスは、時分割多重分配を実現する光スイッチ７1，７2，７3であり,１０ＫＨz以上の応答周波数が必要（非特許文献１：Winzer et al, 4.1.4, ECOC2002参照）である。この切替速度を実現する方路切替スイッチは、電気光学効果を用いたスイッチ、音響光学効果によるスイッチ、磁気光学スイッチ、また最近切替速度が俄かに向上してきたＭＥＭＳ(Micro Electro mechanical Systems)スイッチなど適用可能である。
【００４５】
電気光学効果や音響光学効果を用いたスイッチは、５〜１０ｄＢ程度で実現された例はあるが、本件のような励起ポンプ分配のケースでは、隣接ポート間所要クロストークは１０ｄＢ程度でも問題なく、従って、例えばＳｉやニオブ酸リチウム結晶の電気光学効果による偏向角制御により、空間光路分配するとき、所要クロストークが十分低いために現在実現されている損失（デバイス長短尺化）やまたコストなどの低減が可能となり、２〜３ｄＢで１×８程度のスイッチが実現できる可能性があると考えられる。
【００４６】
磁気光学スイッチや３次元ＭＥＭＳスイッチに関しても同等の課題があるが、クロストーク仕様緩和によるロス及びコスト低減効果はあり、それぞれ数十μｓ相当の応答速度は実現できると考えられる。さらには、現在、光パケット伝送などスイッチを多様するシステム技術開発が活発であり、スイッチの高速化は今後も著しい進展をとげ、コスト、ロスともに大幅に改善されるものと予想される。
【００４７】
図７は,上記図６において,スイッチ制御部８でそれぞれの方路へのデューティ比を調整する例を説明する第２の実施の形態を示す図である。簡単化のため,受信方路１ａのみについて示している。
【００４８】
図７において,例えば、ポンプ波長λ1,λ2,λ3が時分割にデューティ比調整されて各受信方路へ投入される。このように各ポンプ波長光のデューティ比調整により、自由に実効ポンプパワーを調整することができる。
【００４９】
上記デューティ比調整は、図６におけるポンプ分配用スイッチ７1，７2，７3の分配タイミングをＳＷ制御部８で調整することにより可能である。
【００５０】
図８は,本発明に従う第３の実施の形態例を示す図であり, もともと２つの受信方路１ａ，１ｂが接続されていたのに対して受信方路１ｃが増設されるケースについて示している。基本構成は,図６に示したノード構成と同様である。
【００５１】
図８において,点線部が増設されるデバイスおよび光線路であり、各ポンプ分配用スイッチ７1，７2，７3の空きポートに対して接続増設される。
【００５２】
上記のハードウェア増設手順終了後、例えば、波長λ1のポンプ光源３1では、受信方路１ａ,１ｂ, １ａ,１ｂの順に供給方路が切り替えられていた状態が、受信方路１ａ,１ｂ, １ｃ, １ａ,１ｂ, １ｃの順に切り替えられるようになることで受信方路が増設される。
【００５３】
また、第１の実施例と同様に、波長λ1,λ2,λ3のポンプ光源３1，３2，３3は、それぞれ同時に同一方路で光らないように、ポンプ波長間の発光の同時性を避けるように,スイッチ制御部８において,方路分配制御タイミング１１に示すような時分割分配タイミングにより各光スイッチ７1，７2，７3を制御している。
【００５４】
さらに,増設される方路に基づき，パワーレベルの調整が必要である。このために図９に示す手順によりパワー制御を行う。
【００５５】
先ず増設受信方路の所要励起光実効パワーを算出する（ステップＳ１）。この実効パワーの算出には次に示す方法が可能である。かかる方法の処理は，制御手段として図示省略されている演算手段としてのＣＰＵにより実行して,スイッチ制御部８及びＬＤ制御部９を制御することにより実現される。
【００５６】
すなわち,第１の方法は,方式設計上の所要値を設定する。あるいは，第２の方法として,前段ノードに置ける信号光対雑音比（ＯＳＮＲ）が転送され,更に受信入力レベルを測定した上で所要ポンプパワーを算出する。
【００５７】
次いで,各方路の所要実効パワーから,各励起波長のＬＤパワー及びデューティ比配分を算出する（ステップＳ２）。
【００５８】
さらに,算出結果どおりにＬＤパワー及びデューティ比を設定する（ステップＳ３）。
【００５９】
図１０は,本発明の第４の実施の形態例として運用中（インサービス)の再調整処理の方法を示すフロー図である。図９に示した第３の実施の形態例のインサービス方路増設と手順はほとんど同じである。処理フローのトリガーが異なり、増設ではなく、何らかの性能劣化情報など（前段ノードから転送されてきたＯＳＮＲ情報、当該ノードでのＯＳＮＲモニタ結果に基づく情報など）に対するインサービス再調整処理である。
【００６０】
すなわち,ステップＳ１−１において,各受信方路の所要励起光実効パワーの算出は，上記したように，方式設計上の所要値を設定するか,あるいは，前段ノードに置ける信号光対雑音比（ＯＳＮＲ）が転送され,更に受信入力レベルを測定した上で所要ポンプパワーを算出することにより行う。
【００６１】
この図１０に示す実施例は,波長パス切替時にも適用が可能である。
【００６２】
上記実施の形態の説明に基づく,本発明に従う攻勢の特徴を纏めると以下のようである。
【００６３】
（付記１）
低雑音特性のためにラマン増幅を必要とする波長分割多重された光信号の受信方路を複数有する光ノードにおいて、
複数波長のラマン励起光を出力するラマン増幅用励起光源部と,
前記複数波長のラマン励起光を波長毎に時分割して出力する制御部と，
前記波長毎に時分割して出力される複数波長のラマン励起光を前記複数の受信方路に,信号光伝搬方向と逆方向に時分割分配投入するラマン増幅器とを有し，
前記各受信方路において，前記ラマン励起光が波長毎に時分割される周期を前記ラマン増幅器の前記信号光のラマン励起光に対する応答時間より速くなるように設定されている
ことを特徴とする光ノード。
【００６４】
（付記２）付記１において、
前記ラマン増幅用励起光源部は,所要波長数に対応する複数のラマン励起光発光源を有し，
前記制御部は,前記複数のラマン励起光発光源のそれぞれに対応する, 前記ラマン励起光発光源の出力を前記複数の受信方路へ切り替え供給する複数のスイッチと，前記複数のスイッチを制御するスイッチ制御部と，前記複数のラマン励起光発光源のそれぞれの発光を制御するＬＤ制御部とを有することを特徴とする光ノード。
【００６５】
（付記３）付記２において、
前記スイッチ制御部は, 前記複数の受信方路へ切り替え供給する際に，前記複数のスイッチにより切り替えられるラマン励起光のデューティ比を制御して前記受信方路へ供給されるラマン励起光の時間平均パワーを制御することを特徴とする光ノード。
【００６６】
（付記４）付記２において、
前記ＬＤ制御部は, 前記複数のラマン励起光発光源の発光パワーを制御して前記受信方路へ供給されるラマン励起光のパワーを制御することを特徴とする光ノード。
【００６７】
（付記５）付記２において、
前記複数のスイッチのそれぞれの空きポートに増設される受信方路を接続し,前記スイッチ制御部により前記複数のスイッチにより前記複数の受信方路へ切り替え供給する周期を更新することにより,運用中における方路増設を可能とすることを特徴とする光ノード。
【００６８】
（付記６）付記２において、
さらに，前記複数の受信方路の所要励起光の実効パワーを算出する演算処理手段を有し，
前記求演算処理手段は，更に前記複数の受信方路の算出された実効パワーに基づき，前記スイッチ制御部に前記複数の受信方路に対するラマン励起光のデューティ比の再配分及び，前記ＬＤ制御部に前記複数のラマン励起光発光源の発光パワーの再配分を  設定することを特徴とする光ノード。
【００６９】
（付記７）付記６において,
前記実効パワーの算出は，前段ノードに置ける信号光対雑音比（ＯＳＮＲ）と受信入力レベルを測定して所要ポンプパワーとして算出することを特徴とする光ノード。
【産業上の利用可能性】
【００７０】
本発明により、複数方路分配を行う光ノードにおいて、特にパスに低雑音性が要求される場合に、低コスト、かつ機能性の高いラマン増幅配置方法が実現される。これにより、インサービス時に受信方路増設、インサービス時に受信特性最適制御、インサービス時で波長パスが切り替えられたときのパス特性最適分配制御が可能となる。
【００７１】
さらに時分割制御しているため、性能向上が見込まれ、ラマン部の所要ポンプパワーを節約する効果もあり、高機能性・低コストを実現することが出来産業上寄与するところ大である。
【図面の簡単な説明】
【００７２】
【図１】光波長多重(ＷＤＭ)伝送技術によるフォトニックネットワークの構築例を示す図である。
【図２】ファイバラマン増幅装置の原理を説明する図である。
【図３】受信方路側にラマン光増幅部が配置された場合の複数方路分配光ノードの一構成例を示す図である。
【図４】第２の従来例として分布ラマン増幅（ＤＲＡ）用ポンプ光源を一つに集中させた光ノード構成を示す図である。
【図５】ラマン用励起光を時分割多重して合波する手法の原理説明図である。
【図６】本発明の第１の実施の形態例を示す図である。
【図７】図６において,スイッチ制御部８でそれぞれの方路へのデューティ比を調整する例を説明する第２の実施の形態を示す図である。
【図８】本発明に従う第３の実施の形態例を示す図である。
【図９】パワー制御の手順を示す図である。
【図１０】本発明の第４の実施の形態例としてインサービス再調整処理の方法を示すフロー図である。
【符号の説明】
【００７３】
１1〜１6  波長多重信号光
１ａ〜１ｃ   受信方路
１1〜１6   波長多重信号光
２1〜２3    ラマン光結合カプラ
３1〜３3    ラマン光源
４1〜４6    ＥＤＦＡ
５           光多重・分配部
６1〜６3    波長多重カプラ
７          ＬＤ制御部
７1〜７3７  光スイッチ
８          スイッチ制御部
８0       パルス発生器
８1〜８3   光変調器
１０        伝送路ファイバ
１１        方路分配制御クロック
【図１】
2006084882.tif 000003
【図２】
2006084882.tif 000004
【図３】
2006084882.tif 000005
【図４】
2006084882.tif 000006
【図５】
2006084882.tif 000007
【図６】
2006084882.tif 000008
【図７】
2006084882.tif 000009
【図８】
2006084882.tif 000010
【図９】
2006084882.tif 000011
【図１０】
2006084882.tif 000012